(57)【要約】【課題】コンタクト端子の固定端と自由端との距離を短縮することと、カード端子とコンタクト端子との間に適切な接触圧を発生させることとを両立させやすいカード用接続装置の提供。【解決手段】カードに設けられた複数のカード端子の配列に対応するように並列したコンタクト端子２１〜２８を備えている。これらのコンタクト端子２１〜２８のそれぞれの一端はケース本体３に固定された固定端となっていて、それぞれの他端は自由端になっている。コンタクト端子２１〜２８のそれぞれは、これらのコンタクト端子２１〜２８が並列する面から突起する山形が形成されるように曲折しているとともに、前記面に沿って曲折している。【選択図】図４
2007311116.tif 000002
【特許請求の範囲】
【請求項１】
カードに設けられた複数のカード端子の配列に対応するように並列した複数のコンタクト端子を備えていて、これらのコンタクト端子の一端および他端のそれぞれが、固定端および自由端のそれぞれになっているとともに、前記複数のコンタクト端子が並列する面から突起する山形が形成されるように前記複数のコンタクト端子のそれぞれが曲折しているカード用接続装置であって、
前記コンタクト端子が、前記面に沿って曲折していることを特徴とするカード用接続装置。
【請求項２】
請求項１記載の発明において、
前記複数のコンタクト端子は互いに、前記面に沿って曲折する角度が同角度で、前記固定端から前記自由端までの寸法が同寸法になるように形成されていることを特徴とするカード用接続装置。
【請求項３】
請求項２記載の発明において、
前記コンタクト端子の前記自由端は、前記面に直交する方向への変位を規制された状態で、前記山形の突起の程度が変化するのを許容する方向にスライド可能に支持されていることを特徴とするカード用接続装置。
【請求項４】
請求項２記載の発明において、
隣接するコンタクト端子のうちの一方には、他方のコンタクト端子に接触する前記カード端子との接触を阻止する絶縁部が設けられていることを特徴とするカード用接続装置。
【請求項５】
請求項１〜４のいずれか１項に記載のカード用接続装置を備えていることを特徴とするカード用アダプタ。
【発明の詳細な説明】
【技術分野】
【０００１】
本発明は、並列する複数のコンタクト端子を備えていて、これらのコンタクト端子のそれぞれが、コンタクト端子が並列する面から突起する山形を形成するように曲折しているカード用接続装置、およびこのカード用接続装置を備えたカード用アダプタに関する。
【背景技術】
【０００２】
カード用接続装置、およびカード用接続装置を備えたカード用アダプタとしては、特許文献１に示されたものがある。
【０００３】
特許文献１に示されたカード用接続装置は、カードに備えられた複数のカード端子の配列に対応するように並列した複数のコンタクト端子を備えている。これらのコンタクト端子の一端および他端のそれぞれは、固定端および自由端のそれぞれになっている。また、これらのコンタクト端子のそれぞれは、コンタクト端子が並列する面から突起する山形が形成されるように曲折している。また、コンタクト端子が並列する面に平行な面に対して、複数のコンタクト端子のそれぞれを投影した形状は、直線状である。
【０００４】
また、特許文献１に示されたカード用アダプタは、同特許文献１に示された前述のカード用接続装置を備えている。このカード用アダプタは、カードを挿入可能な挿入口を有するケースを備えている。ケース内ではカード用接続装置の複数のコンタクト端子が露出している。カードがケースに挿入された状態では、複数のコンタクト端子のそれぞれが、自身の頂部で、自身と対応するカード端子と接触するようになっている。
【０００５】
また、カードがケースに挿入された状態では、山形の突出の方向と相反する方向にコンタクト端子がカードによって押し潰されている。この状態では、コンタクト端子が元の山形に復元しようとするばね力によって、カード端子とコンタクト端子とが接触した状態を保持する接触圧が発生している。
【特許文献１】特開２００４−２７２７０４公報
【発明の開示】
【発明が解決しようとする課題】
【０００６】
前述したように構成されたカード用アダプタに対しては、カードの小型化に対応させるための小型化が要望されている。この要望に応えるには、カードの挿抜方向に対応する方向におけるカード用接続装置の寸法を短くする必要がある。このようにカード用接続装置の寸法を短縮するには、直線状のコンタクト端子の長さ寸法を短縮することによってコンタクト端子の自由端と固定端との距離を短縮することが考えられるが、カード端子とコンタクト端子との間に適切な接触圧を発生させることと、直線状のコンタクト端子の長さ寸法との関係を考慮すると、コンタクト端子の長さ寸法を短縮できないことがある。
【０００７】
本発明は、前述の実状を考慮してなされたもので、その目的は、コンタクト端子の固定端と自由端との距離を短縮することと、カード端子とコンタクト端子との間に適切な接触圧を発生させることとを両立させやすいカード用接続装置、および、このカード用接続装置を備えたカード用アダプタを提供することにある。
【課題を解決するための手段】
【０００８】
〔１〕  本発明のカード用接続装置は、カードに設けられた複数のカード端子の配列に対応するように並列した複数のコンタクト端子を備えていて、これらのコンタクト端子の一端および他端のそれぞれが、固定端および自由端のそれぞれになっているとともに、前記複数のコンタクト端子が並列する面から突起する山形が形成されるように前記複数のコンタクト端子のそれぞれが曲折しているカード用接続装置であって、前記コンタクト端子が、前記面に沿って曲折していることを特徴とする。
【０００９】
このように構成された本発明のカード用接続装置では、コンタクト端子が並列する面に沿って、複数のコンタクト端子のそれぞれが曲折しているので、コンタクト端子自体の長さ寸法を短縮せずに、コンタクト端子の固定端と自由端との距離を短縮することができる。したがって、コンタクト端子の固定端と自由端との距離を短縮することと、カード端子とコンタクト端子との間に適切な接触圧を発生させることとを両立させやすい。
【００１０】
〔２〕  本発明のカード用接続装置は、「〔１〕」記載の発明において、前記複数のコンタクト端子は互いに、前記面に沿って曲折する角度が同角度で、前記固定端から前記自由端までの寸法が同寸法になるように形成されていることを特徴とする。
【００１１】
このように構成された本発明のカード用接続装置では、複数のコンタクト端子のそれぞれが発揮するばね力が一定になるように設定しやすい。
【００１２】
〔３〕  本発明のカード用接続装置は、「〔２〕」記載の発明において、前記コンタクト端子の前記自由端は、前記面に直交する方向への変位を規制された状態で、前記山形の突起の程度が変化するのを許容する方向にスライド可能に支持されていることを特徴とする。
【００１３】
このように構成された本発明のカード用接続装置では、山形が突出する方向と相反する方向にコンタクト端子が押圧されたとき、コンタクト端子の自由端は、コンタクト端子が並列する面に直交する方向への変位を規制された状態で、山形の突出の程度が小さくなる方向へスライドする。これにより、コンタクト端子のばね力を安定させることができる。
【００１４】
〔４〕  本発明のカード用接続装置は、「〔２〕」記載の発明において、隣接するコンタクト端子のうちの一方には、他方のコンタクト端子に接触する前記カード端子との接触を阻止する絶縁部が設けられていることを特徴とする。
【００１５】
このように構成された本発明のカード用接続装置では、他方のコンタクト端子に接触するカード端子と、隣接するコンタクト端子のうちの一方との接触が、絶縁部により阻止される。これにより、隣接するコンタクト端子の間隔寸法を短縮しやすい。
【００１６】
〔５〕  本発明のカード用アダプタは、「〔１〕」〜「〔４〕」のいずれか１に記載のカード用接続装置を備えていることを特徴とする。
【００１７】
このように構成された本発明のカード用アダプタは、コンタクト端子の固定端と自由端との距離を短縮しやすいカード用接続装置を備えているので、小型化しやすい。
【発明の効果】
【００１８】
本発明のカード用接続装置によれば、コンタクト端子の固定端と自由端との距離を短縮することと、カード端子とコンタクト端子との間に適切な接触圧を発生させることとを両立させやすいので、カード用アダプタやカード用コネクタの小型化に貢献できる。
【００１９】
また、本発明のカード用アダプタによれば、コンタクト端子の固定端と自由端との距離を短縮しやすいカード用接続装置を備えているので、カード用アダプタの小型化に貢献できる。
【発明を実施するための最良の形態】
【００２０】
本発明のカード用接続装置およびカード用アダプタの一実施形態について図１〜７を用いて説明する。
【００２１】
図１は本発明のカード用アダプタの一実施形態の平面図、図２は図１に示す実施形態の背面図、図３は図１に示す実施形態の裏面図、図４は図１に示す実施形態からカバーが取り除かれてカード用接続装置のコンタクト端子が見えている状態の平面図、図５は図４のV−V断面図、図６は図５に示すコンタクト端子の拡大図、図７はケースに挿入されたカードとコンタクト端子との位置関係を示す図である。
【００２２】
図１に示すように、本実施形態のカード用アダプタ１は、カード５０（図７の参照）が挿入される空間を形成するケース２を備えている。このケース２は、ガードが挿入される凹部３ａを形成する樹脂製のケース本体３と、このケース本体３を上方から覆うカバー４とから構成されている。
【００２３】
カバー４は、ケース本体３の前端部の上面および側壁の上面を覆うように、ケース本体３と結合されている樹脂製のコ字状部材５と、このコ字状部材５の内側でこのコ字状部材５に結合されていてケース本体３の凹部３ａを覆っている金属製の磁気シールド部材６とを備えている。
【００２４】
図２に示すように、ケース２の背面の前端部には、カード５０の挿入口２ａが形成されている。
【００２５】
図３に示すように、ケース２の裏面には、複数の外部端子、すなわち外部端子７〜１７が設けられている。これらの外部端子７〜１７は、カード用アダプタ１が装着される所定の電子機器に設けられた複数の端子の配列に対応するように並列している。
【００２６】
図４に示すように、ケース本体３の凹部３ａの底部３ｂには、カード５０に設けられた複数のカード端子（図示しない）の配列に対応するように並列した複数のコンタクト端子、すなわちコンタクト端子２１〜２８を備えたカード用接続装置２０が設けられている。
【００２７】
コンタクト端子２１〜２８のうちの、コンタクト端子２１，２２，２３はそれぞれ外部端子７，８，９のそれぞれと一体に形成されている。また、コンタクト端子２４〜２８はそれぞれ外部端子１３〜１７のそれぞれと一体に形成されている。コンタクト端子２１〜２８と外部端子７〜１７は、インサート成形によりケース本体３の底部３ｂに固定されている。
【００２８】
また、同図４に示すように、コンタクト端子２１〜２８は、これらのコンタクト端子２１〜２８が並列する面に沿って曲折している。
【００２９】
また、図５，６に示すように、コンタクト端子２５の一端は、インサート成形によりケース本体３の底部３ｂに固着されて固定端になっている。コンタクト端子２５の他端は自由端になっている。コンタクト端子２５は、コンタクト端子２１〜２８が並列する面からカバー４の方向に突起する山形が形成されるように曲折している。コンタクト端子２５以外のコンタクト端子２１〜２４および２６，２７，２８も、コンタクト端子２５と同様に、コンタクト端子２１〜２８が並列する面からカバー４の方向に突起する山形が形成されるように曲折している。
【００３０】
また、図４に示すように、コンタクト端子２１〜２８は互いに、これらのコンタクト端子２１〜２８が並列する面に沿って曲折する角度が同角度で、固定端から自由端までの寸法が同寸法になるように形成されている。また、コンタクト端子２１，２２，２４が互いに平行に並んでいて、コンタクト端子２５〜２８が互いに平行に並んでいる。
【００３１】
また、コンタクト端子２１〜２８は、それぞれの山形を形成する折れ目よりも自由端側の傾斜部２１ａ〜２８ａが互いに平行となるように、並んでいる。さらに、コンタクト端子２１〜２８は、傾斜部２１ａ〜２８ａのそれぞれのケース本体３の底部３ｂに対する投影面が、カード５０の挿入方向と平行な方向に延びた状態となるように、並んでいる。
【００３２】
また、コンタクト端子２１〜２８のそれぞれは、カード５０のケース２への挿入が完了した状態において、自身の頂部すなわち頂部２１ｂ〜２８ｂのそれぞれで、自身と対応するカード端子と接触するように配置されている。
【００３３】
また、ケース本体３の底部３ｂには、カード５０の挿入方向に沿って延びた複数の溝３０〜３７が並列している。コンタクト端子２１〜２８のそれぞれの自由端は、溝３０〜３７のそれぞれに挿入されていることによって、コンタクト端子２１〜２８が並列する面に直交する方向への変位を規制された状態で、山形の突起の程度が変化するのを許容する方向にスライド可能に支持されている。
【００３４】
このように構成された本実施形態では、挿入口２ａから挿入されたカード５０の前端部は、はじめに、コンタクト端子２１〜２８のそれぞれの自由端側の傾斜部、すなわち傾斜部２１ａ〜２８ａに接触する。この状態でカード５０がケース２の奥の方向へ押圧されると、カード５０の前端部から傾斜部２１ａ〜２８ａに伝達される力によって、コンタクト端子２１〜２８はケース本体３の底部３ｂの方向に押圧される。これにより、コンタクト端子２１〜２８のそれぞれでは、自由端が溝３０〜３７のそれぞれに沿って挿入口２ａの方向にスライドして、山形の突出の程度が小さくなる（図６の２点差線参照）。つまり、カード５０はコンタクト端子２１〜２８のそれぞれを山形の突出の程度が小さくなるように押し潰しながら、ケース２の奥の方向へ挿入されていき、ケース２に対するカード５０の挿入が完了する。
【００３５】
図７に破線で示すようにカード５０の挿入が完了した状態では、コンタクト端子２１〜２８それぞれは、それぞれの頂部２１ｂ〜２８ｂで、自身と対応するカード端子と接触していて、それぞれの山形の突出の方向と相反する方向にカード５０によって押し潰されている。この状態では、コンタクト端子２１〜２８が元の山形に復元しようとするばね力によって、コンタクト端子２１〜２８のそれぞれと、それぞれに対応するカード端子とが接触した状態を保持する接触圧が発生している。
【００３６】
本実施形態によれば、次の効果を得られる。
【００３７】
本実施形態のカード用接続装置２０では、コンタクト端子２１〜２８が並列する面に沿って、コンタクト端子２１〜２８のそれぞれが曲折している。つまり、コンタクト端子２１〜２８のそれぞれ自体の長さ寸法を短縮させずに、コンタクト端子２１〜２８の固定端と自由端との距離を短縮することができる。したがって、コンタクト端子２１〜２８のそれぞれの固定端と自由端との距離を短縮することと、カード５０に備えられる複数のカード端子のそれぞれとコンタクト端子２１〜２８のそれぞれとの間に適切な接触圧を発生させることとを両立させやすい。これにより、カード用アダプタの小型化に貢献できる。
【００３８】
また、本実施形態のカード用接続装置２０では、コンタクト端子２１〜２８は互いに、これらのコンタクト端子２１〜２８が並列する面に沿って曲折する角度が同角度で、固定端から自由端までの寸法が同寸法になるように形成されている。これにより、コンタクト端子２１〜２８のそれぞれが発揮するばね力が一定になるように設定しやすい。
【００３９】
また、本実施形態のカード用接続装置２０は、山形が突出する方向と相反する方向にコンタクト端子２１〜２８のそれぞれが押圧されたとき、コンタクト端子２１〜２８のそれぞれの自由端は、コンタクト端子２１〜２８が並列する面に直交する方向への変位を規制された状態で、山形の突出の程度が小さくなる方向へスライドする。これにより、コンタクト端子２１〜２８のばね力を安定させることができる。
【００４０】
また、本実施形態のカード用接続装置２０では、隣接するコンタクト端子のうちの一方と、他方のコンタクト端子に接触するカード端子との接触が、絶縁部４１により阻止される。これにより、コンタクト端子２１〜２８のそれぞれを、それぞれに対応するカード端子のみに接触させることができる。
【００４１】
また、本実施形態のカード用アダプタ１は、コンタクト端子２１〜２８のそれぞれの固定端と自由端との距離を短縮しやすいカード用接続装置２０を備えているので、小型化しやすい。これにより、カード用アダプタの小型化に貢献できる。
【００４２】
なお、本実施形態では、カード用接続装置の一例としてカード用接続装置２０を例に挙げたが、本発明のカード用接続装置はこれに限るものではない。例えば、図８に示すカード用接続装置４０でもよい。なお、図８に示したものについて、図４に示したものと同等のものには、図４と同じ符号を付してある。
【００４３】
このカード用接続装置４０では、隣接するコンタクト端子２１，２２のうちの一方であるコンタクト端子２２、隣接するコンタクト端子２２，２３のうちの一方であるコンタクト端子２３、隣接するコンタクト端子２４，２５のうちの一方であるコンタクト端子２４、隣接するコンタクト端子２５，２６のうちの一方であるコンタクト端子２５、隣接するコンタクト端子２６，２７のうちの一方であるコンタクト端子２６、隣接するコンタクト端子２７，２８のうちの一方であるコンタクト端子２７のそれぞれには、他方のコンタクト端子２１，２２，２５，２６，２７，２８のそれぞれに接触するカード端子との接触を阻止する絶縁部４１が設けられている。各絶縁部４１は、他方のコンタクト端子に対応するカード端子の軌道上に位置する一方のコンタクト端子の部分を覆った樹脂からなっている。このように構成されたカード用接続装置４０は、隣接するコンタクト端子の間隔寸法を短縮しやすい。
【００４４】
また、カード用接続装置２０，４０は、カード用アダプタ１に適用されているが、本発明のカード用接続装置はこれに限るものではなく、カード用コネクタに適用してもよい。
【図面の簡単な説明】
【００４５】
【図１】本発明のカード用アダプタの一実施形態の平面図である。
【図２】図１に示す実施形態の背面図である。
【図３】図１に示す実施形態の裏面図である。
【図４】図１に示す実施形態からカバーが取り除かれてカード用接続装置のコンタクト端子が見えている状態の平面図である。
【図５】図４のV−V断面図である。
【図６】図５に示すコンタクト端子の拡大図である。
【図７】ケースに挿入されたカードとコンタクト端子との位置関係を示す図である。
【図８】図４に示すカード用接続装置とは別のカード用接続装置を示す図４に対応する図である。
【符号の説明】
【００４６】
１  カード用アダプタ
２  ケース
２ａ  挿入口
３  ケース本体
３ａ  凹部
３ｂ  底部
４  カバー
５  コ字状部材
６  磁気シールド部材
７〜１７  外部端子
２０  カード用接続装置
２１〜２８  コンタクト端子
２１ａ〜２８ａ  傾斜部
２１ｂ〜２８ｂ  頂部
３０〜３７  溝
４０  カード用接続装置
４１  絶縁部
５０  カード
【図１】
2007311116.tif 000003
【図２】
2007311116.tif 000004
【図３】
2007311116.tif 000005
【図４】
2007311116.tif 000006
【図５】
2007311116.tif 000007
【図６】
2007311116.tif 000008
【図７】
2007311116.tif 000009
【図８】
2007311116.tif 000010